(57)【要約】【課題】本発明は、透明な素材を用いて着用者の視野を確保し、かつ構造が簡単で安価に製造でき、使い捨て使用可能な眼帯を提供し、花粉症対策等に寄与ようとするものである。【解決手段】透明な素材からなる眼帯本体と、その外周縁部に延設された貼着用シート部とからなり、耳紐なしで着用できる眼帯であって、左右両眼部を覆う両眼用、又は左右いずれか一方の眼を覆う片眼用に形成されてなり、両眼用眼帯はその左右両端部に延設された貼着用シート部をこめかみに、中央部に設けられた貼着用シート部を鼻梁に貼着して着用し、片眼用眼帯はその左右いずれか一方の端部をこめかみに貼着し、他方を鼻の付け根付近に貼着して着用するよう構成された眼帯による。【選択図】  図１
2010240116.tif 000002
【特許請求の範囲】
【請求項１】
眼部を覆い花粉や塵埃等の異物が眼に入るのを防止するための眼帯であって、着用者の視野を妨げないよう透明な素材からなる眼帯本体と、その外周縁部に延設された貼着用シート部とからなり、耳紐なしで着用できる眼帯。
【請求項２】
貼着用シート部が、眼帯本体の外周を取り巻くリング形状のものであることを特徴とする請求項１に記載の眼帯。
【請求項３】
貼着用シート部が、内面に、貼着剤層とその表面に積層された剥離シートとを備えてなることを特徴とする請求項１又は２に記載の眼帯。
【請求項４】
眼帯本体が、透明でしわが寄りにくい腰の強さと人の肌に触れても危害をもたらさない柔軟さとを併せ持つフィルム状の素材で形成されてなることを特徴とする請求項１〜３のいずれか１項に記載の眼帯。
【請求項５】
眼帯本体が、左右両眼部を覆う両眼用として形成されてなることを特徴とする請求項１〜４のいずれか１項に記載の眼帯。
【請求項６】
請求項４に記載の両眼用の眼帯において、鼻梁に当接する鼻当て部分の上下端縁又は中央部に、前記鼻当て部を鼻梁に密着させる可撓性を有する樹脂製のノーズフィッタを備えてなることを特徴とする眼帯。
【請求項７】
眼帯本体が、左右いずれか一方の眼部を覆う片眼用眼帯として形成されてなることを特徴とする請求項１〜４のいずれか１項に記載の眼帯。
【請求項８】
眼帯本体の眼を覆う部分が、瞼の前面に空隙を確保しまばたきができるように外側に向けて凸となる緩やかな球面で構成され、かつ、外周縁部が他の部分より厚みを持って形成されてなることを特徴とする請求項１〜７のいずれか１項の記載の眼帯。
【請求項９】
前記貼着剤が、無色透明なものであることを特徴とする請求項２〜６のいずれか１項に記載の眼帯。
【請求項１０】
請求項１〜９のいずれか１項に記載の眼帯が、花粉症対応用であることを特徴とする眼帯。
【請求項１１】
請求項１〜９のいずれか１項に記載の眼帯が、洗髪、洗顔等の理容・美容作業用であることを特徴とする眼帯。
【発明の詳細な説明】
【技術分野】
【０００１】
眼部を覆い花粉や塵埃等の異物が眼に入るのを防止するための眼帯であって、着用者の視野を妨げない透明な素材からなる眼帯に関する。
【背景技術】
【０００２】
近年花粉症に悩む人が多くなり、春先には毎日の気象情報の中で花粉飛散情報が伝えられるようになってきている。そして飛散する花粉が眼に入ることによって生じる眼のかゆみを防止するために、眼鏡やゴーグルに防止対策を施した事例はいくつも開示されているが、花粉症対応用の眼帯としては、特開２００６−２６３４０８「ファッションマスク」の公報に、「花粉症などの際に一般的に使用されているマスクや眼帯などの医療品に色や飾りなどのファッション性を持たせ、あるいは持たせるための製品」との記述が見いだされるのみである。
この発明は、一般的に使用されるマスクや眼帯が白一色で病人のイメージが強いことから、マスクを人前で着用せずにインフルエンザや風邪の流行を助長していることに鑑み、白一色のマスクに色や飾りなどファッション性を持たせ、人前でも気兼ねなく着用できるようにする一環として眼帯にもファッション性を持たせて花粉症患者に眼帯の着用を促し花粉症対策に貢献しようとするものと理解される。
【０００３】
花粉症対応眼帯に関する発明がほとんどない状態は、眼帯の着用によって視野が失われることにある。眼病の場合は、それが両眼に及ぶことは少なく、片眼に眼帯をしても一方の眼で不便ながら周囲を見ることができる。しかし花粉症は、一方の眼にしか起こらないというものでなく、両眼に炎症が発生する。したがって、両眼への眼帯使用は考えられず、視野が確保できる眼鏡やゴーグルに花粉症対策を施すことが集中的に行われてきた。
例えば特開２００４−３４１１２４号公報に開示された保護眼鏡のように「眼鏡枠に取り付けられた軽量で透明な保護カバーを顔面に密着できる形状とし、眼に入る花粉や埃を防ぐことや、ドライアイの症状を軽減する」ものが、「従来の大げさで大変重量のある保護眼鏡製品と比べ、目立たず自然なファッションの一部として使える」ものとして開示されている。
【先行技術文献】
【特許文献】
【０００４】
【特許文献１】特開２００６−２６３４０８号公報
【特許文献２】特開２００４−３４１１２４号公報
【発明の概要】
【発明が解決しようとする課題】
【０００５】
しかしながら、眼鏡の常用者はいざ知らず、花粉の飛び交う時期にのみ保護眼鏡を使用する人にとってはその時期の外出には保護眼鏡の着用が欠かせず、それがファッション性を備えたものであったとしても、眼鏡を着用する行為そのことが花粉症の憂鬱さを助長することにもなりかねない。また使用した眼鏡はその都度洗浄して付着した花粉を洗い流しておく必要も出てくる。
本発明は、このような保護眼鏡による花粉症対応の問題点に鑑みてなされたもので、前記保護眼鏡に代えて、透明でしわの寄りにくいフィルム状の素材を用い、構造が簡単で安価に製造でき、使い捨て使用のできる眼帯を提供しようとするものである。
【課題を解決するための手段】
【０００６】
本発明者は、上記課題を下記の手段により解決した。
（１）眼部を覆い花粉や塵埃等の異物が眼に入るのを防止するための眼帯であって、着用者の視野を妨げないよう透明な素材からなる眼帯本体と、その外周縁部に延設された貼着用シート部とからなり、耳紐なしで着用できる眼帯。
【０００７】
（２）貼着用シート部が、眼帯本体の外周を取り巻くリング形状のものであることを特徴とする前項（１）に記載の眼帯。
（３）貼着用シート部が、内面に、貼着剤層とその表面に積層された剥離シートとを備えてなることを特徴とする前項（１）又は（２）に記載の眼帯。
【０００８】
（４）眼帯本体が、透明でしわが寄りにくい腰の強さと人の肌に触れても危害をもたらさない柔軟さとを併せ持つフィルム状の素材で形成されてなることを特徴とする前項（１）〜（３）のいずれか１項に記載の眼帯。
（５）眼帯本体が、左右両眼部を覆う両眼用として形成されてなることを特徴とする前項（１）〜（４）のいずれか１項に記載の眼帯。
（６）前項（５）に記載の両眼用の眼帯において、鼻梁に当接する鼻当て部分の上下端縁又は中央部に、前記鼻当て部を鼻梁に密着させる可撓性を有する樹脂製のノーズフィッタを備えてなることを特徴とする眼帯。
【０００９】
（７）眼帯本体が、左右いずれか一方の眼部を覆う片眼用眼帯として形成されてなることを特徴とする前項（１）〜（４）のいずれか１項に記載の眼帯。
【００１０】
（８）眼帯本体の眼を覆う部分が、瞼の前面に空隙を確保しまばたきができるように外側に向けて凸となる緩やかな球面で構成され、かつ、外周縁部が他の部分より厚みを持って形成されてなることを特徴とする前項（１）〜（７）のいずれか１項の記載の眼帯。
【００１１】
（９）前記貼着剤が、無色透明なものであることを特徴とする前項（２）〜（６）のいずれか１項に記載の眼帯。
【００１２】
（１０）前項（１）〜（９）のいずれか１項に記載の眼帯が、花粉症対応用であることを特徴とする眼帯。
（１１）前項（１）〜（９）のいずれか１項に記載の眼帯が、洗髪、洗顔等の理容・美容作業用であることを特徴とする眼帯。
【発明の効果】
【００１３】
本発明の眼帯によって、下記の効果が期待できる。
〈１〉本発明の眼帯が、透明な素材からなる眼帯本体と、その外周縁部に延設された貼着用シート部とからなるので、着用者の視野を妨げることなく着用でき、花粉や塵埃等の異物が眼に入るのを確実に防止できる。
【００１４】
〈２〉貼着用シート部が、眼帯本体の外周を取り巻くリング形状のものであるので、眼帯本体が前記リング状の貼着用シート部で眼の回りに隙間なく貼着でき、花粉や塵埃等の異物が眼に入るのを確実、完全に防止できる。
〈３〉貼着用シート部が、内面に、貼着剤層とその表面に積層された剥離シートとを備えているので、貼着剤層は着用時まで剥離紙によって保護され、着用時には剥離紙を剥がすだけで眼の回りに容易に貼着できる。
【００１５】
〈４〉眼帯本体が、透明でしわが寄りにくい腰の強さと人の肌に触れても危害をもたらさない柔軟さとを併せ持つフィルム状の素材で形成されているので、本発明の眼帯を着用しても視野を損なうことなく、かつ肌に優しく当接し、使用による不快感は極めて少ない。
【００１６】
〈５〉眼帯本体が、左右両眼部を覆う両眼用として形成され、左右両端のこめかみ近傍に当接する部分と中央部の鼻梁に当接する部分にも貼着剤を塗布した後記のこめかみ貼着部と鼻梁貼着部を設け、それぞれの貼着部を左右のこめかみ付近及び鼻梁に貼着して使用するよう構成されているので、従来の眼帯に付きものであった耳紐がなくなり、眼鏡常用者にとって眼鏡の着脱がスムーズに行える。
〈６〉また両眼用眼帯がその中央部に設けられ鼻梁に当接する鼻梁貼着部の上下端縁又は中央部に可撓性を有する樹脂製のノーズフィッタを配設しているので、前記鼻梁貼着部を鼻梁の形状に合わせて確実に密着でき、花粉や塵埃等の異物が眼に入るのをより確実に防止することができる。
【００１７】
〈７〉眼帯本体が左右いずれか一方の眼部を覆い花粉や塵埃等の異物がその眼に入るのを防止する片眼用眼帯として形成され、その左右両端に貼着剤を塗布した貼着部を設けて、一方を鼻の付け根付近に、また他方をこめかみ近傍に貼着して使用するよう構成されているので、左右のいずれか一方の眼、あるいは２枚を両眼に個別に貼着して使用することができ、花粉や塵埃等の異物が眼に入るのを防止するだけでなく、花粉症や眼病を発症した眼の治療用の眼帯としても耳紐の煩わしさなく使用できる。
【００１８】
〈８〉眼帯本体の眼を覆う部分が、外側に向けて凸となる緩やかな球面で構成され、かつ、外周縁部が他の部分より厚みを持って形成されているので、瞼の前面に空隙が確保でき、花粉や塵埃等の異物が眼に入るのを防ぐとともに、まばたきや眼の動きが妨げられない。
〈９〉前記貼着剤が、無色透明なものであるので透明な素材で構成された前記花粉症対応眼帯の着用が目立たず使用しやすい。
〈１０〉前記眼帯が、透明なフィルム状の素材を両眼用、片眼用それぞれの形状に形成し、その貼着部に貼着剤を塗布するという簡単な構造であるので安価に製造できることから使用によって花粉や塵埃等の異物が付着した眼帯を使い捨てでき、付着した花粉や塵埃等の異物の処理が容易に行える。
【００１９】
〈１１〉前記眼帯が花粉症対策用として使用できるので、花粉症患者の眼のかゆみを軽減、若しくは解消できる。
〈１２〉前記眼帯が洗髪、洗顔等の理容・美容作業用に使用できるので、幼児の洗髪、洗顔時にシャンプーや湯水が眼に入るのを防止でき、洗髪、洗顔嫌いを減少させる。
【図面の簡単な説明】
【００２０】
【図１】本発明による眼帯（両眼用）の一実施例の構造図（ａ）正面図、（ｂ）Ａ−Ａ断面図
【図２】本発明による眼帯（両眼用）の他の実施例の正面図
【図３】本発明の眼帯（両眼用）の着用状況図
【図４】本発明による花粉症対応眼帯（片眼用）の構造図（ａ）正面図、（ｂ）Ａ−Ａ断面図
【図５】本発明の眼帯（片眼用）の着用状況図
【符号の説明】
【００２１】
１：眼帯本体（両眼用）
２：上下貼着部
３：こめかみ貼着部
４：鼻梁貼着部
５：貼着剤層
６：剥離紙
７：ノーズフィッタ
１０：眼帯本体（片眼用）
【発明を実施するための形態】
【００２２】
本発明の眼帯の実施の形態を、実施例の図に基づいて説明する。
図１は本発明による眼帯（両眼用）の一実施例の構造図〔（ａ）正面図、（ｂ）Ａ−Ａ断面図〕、図２は本発明による眼帯（両眼用）の他の実施例の正面図、図３は本発明の眼帯（両眼用）の着用状況図、図４は本発明による眼帯（片眼用）の構造図〔（ａ）正面図、（ｂ）Ａ−Ａ断面図〕、図５は本発明の眼帯（片眼用）の着用状況図である。
図において１は両眼用の眼帯本体、２は上下貼着部、３はこめかみ貼着部、４は鼻梁貼着部、５は貼着剤層、６は剥離紙、７はノーズフィッタ、１０は片眼用の眼帯本体を示す。
なお請求項にいう貼着用シート部は、前記眼の上下部への上下貼着部２，こめかみへのこめかみ貼着部３、鼻梁への鼻梁貼着部４の総称であり、実施の形態の説明を便にするため上記３つの貼着部に分けることとした。
【実施例１】
【００２３】
本実施例の眼帯は、図１に示すように、左右両眼部を覆い花粉や塵埃等の異物が眼に入るのを防止するために着用する透明な素材でなる両眼用の眼帯であって、透明でしわが寄りにくい腰の強さと人の肌に触れても危害をもたらさない柔軟さとを併せ持つフィルム状の素材で形成された眼帯本体１と、その外周縁部に延設された貼着用シート部とからなり、前記貼着用シート部は内面に貼着剤層５とその表面に積層された剥離紙６とを備えている。
本実施例の貼着用シート部は、眼の上下部に眼帯の上下外周縁部を貼着する上下貼着部２、左右両端に延設され着用者のこめかみ近傍に眼帯を貼着するこめかみ貼着部３、及び前記眼帯の中央部の鼻梁に当接させて貼着する鼻梁貼着部４とでなり、かつ、眼帯本体１の眼を覆う部分が、瞼の前面に空隙を確保してまばたきができるように外側に向けて凸となる緩やかな球面で構成され、かつ、前記貼着用シート部２、こめかみ貼着部３、及び鼻梁貼着部４が他の部分より厚みを持って形成されている。
そして、前記眼帯本体１の中央部に設けられた鼻梁貼着部４の上下端縁に柔軟な樹脂製のノーズフィッタ７を備え、前記鼻梁貼着部４を鼻梁の形状に合わせて確実に密着させられるようにしておくことも好ましい。なお前記ノイズフィッタ７は、鼻梁貼着部４の中央部の１箇所に設けられたものであってもよい。
また、前記眼帯本体１を着用した際、その上下貼着部２が、眼窩の縁端部上に位置するように形成しておくことも、上下貼着部２を顔面に確実に貼着でき、花粉や塵埃等の異物が眼に入るのをより確実に防止するのに役立つので好ましい。
さらに、本実施例の両眼用の眼帯を着用する際の便を考慮して、前記剥離紙６は鼻梁貼着部４で左右に２分しておくことが好ましい。
【００２４】
図１に示した眼帯では、上下を意識せずに着用できるよう眼帯本体１の形状、構造を上下対称としているが、図２に示すように眼帯本体１の中央部に設けられた鼻梁に当接し貼着される鼻梁貼着部４の下部を、下方に広がる鼻梁の形状に合わせて切り込み、顔面によりよくフィットするようにしておくのもよい。
この場合は着用にあたって上下を意識する必要がある。
【００２５】
図３に本実施例の眼帯の着用状態を示した。
本実施例の眼帯の着用は次の手順によって行う。
（ａ）眼帯本体１の中央部に設けられた鼻梁貼着部４の剥離紙６を中央部で左右に２分して剥がし、露出した貼着剤層５を鼻梁に当接して貼着する。この際上方になるノーズフィッタ５をあらかじめほぼ鼻梁に合うよう曲げておくことが好ましい。
（ｂ）上下のノーズフィッタ７を着用者の鼻梁に密着するように曲げ、前記中央部に設けられた鼻梁貼着部４の全面を鼻梁に当接させ、確実に貼着する。
（ｃ）中央部で左右に剥離した剥離紙６を左右のこめかみ方向に剥がしつつ上下貼着部２を眼の回りに貼着してゆき、最後に着用者のこめかみ近傍に前記こめかみ貼着部３、３を貼り付ける。
（ｄ）眼帯本体１の各貼着部分を上から押さえて、前記眼帯本体１が、顔面に確実に貼着されたことを確認する。
【実施例２】
【００２６】
本実施例の眼帯は、図４に示すように、左右いずれか一方の眼部を覆い花粉や塵埃等の異物が眼に入るのを防止するために着用する透明な素材でなる片眼用の眼帯であって、透明でしわが寄りにくい腰の強さと人の肌に触れても危害をもたらさない柔軟さとを併せ持つフィルム状の素材で形成された眼帯本体１０と、その外周縁部に延設された貼着用シート部とからなり、前記貼着用シート部は内面に貼着剤層５とその表面に積層された剥離紙６とを備えている。
本実施例の貼着用シート部は、眼の上下部に眼帯の上下外周縁部を貼着する上下貼着部２、眼帯本体１０の左右に延設され一方が着用者のこめかみ近傍に眼帯を貼着するこめかみ貼着部３、他方が着用者の鼻の付け根付近に貼着される鼻梁貼着部４とでなり、かつ、眼帯本体１の眼を覆う部分が、瞼の前面に空隙を確保してまばたきができるように外側に向けて凸となる緩やかな球面で構成され、かつ、前記上下貼着部２、こめかみ貼着部３、及び鼻梁貼着部４が他の部分より厚みを持って形成されている。
そしてその外形は、左右どちらの眼でも使用できるよう上下対称に作られている。また、前記眼帯本体１０を着用した際、その上下外周縁部に延設された上下貼着部２が眼窩の縁端部上に位置するように形成しておくことも、上下貼着部２を顔面に確実に貼着でき、花粉や塵埃等の異物が眼に入るのをより確実に防止するのに役立つので好ましい。
【００２７】
図５に本実施例の花粉症対応眼帯の着用状態を示した。本実施例の眼帯は、鼻の付け根に貼着する鼻梁貼着部４の剥離紙６を剥がして貼着剤層５を露出し、露出した貼着剤層５を鼻の付け根に当接して貼着、固定した後、こめかみ側に剥離紙６を剥がしながら貼着を進め、こめかみ貼着部３の剥離紙６を剥がして露出した貼着剤層５をこめかみ近傍に当接、貼着することによって着用する。
なお本実施例の眼帯２枚を両眼に着用して使用することも問題なく行える。
【００２８】
本発明の眼帯では、眼帯本体１、１０は透明な素材でなることが必須の条件ではあるが、無色である必要はなく、サングラスのように日除け機能をもたせるためやファッション性を高めるために着色されたものであってもよく、また偏光性を有する素材を用いるなど、花粉や塵埃等の異物が眼に入るのを防止するとともに、他の使用条件にも適合する眼帯として機能させることも好ましい。
さらに、視野を妨げることのない各貼着部２、３、４を肌色に着色し、眼帯の着用を目立ちにくくすることも用いられてよい。
【産業上の利用可能性】
【００２９】
本発明の眼帯は、花粉症対応用、洗髪、洗顔等の理容・美容作業用ばかりでなく、粉塵の多発する道路工事や解体工事等の土木作業用、農薬散布や脱穀作業、農地耕作等の農作業用、釣りや漁獲作業、水産物加工等の水産作業用、介護、治療行為等の医療作業用、あるいは食品加工、電気製品製造、自動車製造、運送業、スポーツ等の分野でも使用できるものである。
【図１】
2010240116.tif 000003
【図２】
2010240116.tif 000004
【図３】
2010240116.tif 000005
【図４】
2010240116.tif 000006
【図５】
2010240116.tif 000007